(57)【特許請求の範囲】
【請求項１】
平坦に折り潰した紙状筒の一方の開口端にこれと平行な折り目を付け、該折り目まで前記開口端の両角を折り込み、その状態で前記紙状筒の折り潰しにより形成した上紙及び下紙の一方を折り目に沿い開いて、両側及びその中心部に三角折込み部及び開口部を有する展開面を形成し、該展開面の前記上紙及び下紙に、これらを前記開口部側に折り畳んでも開口部を塞がない折れ筋を付けて、前記展開面の両三角折込み部の底辺より外方にはみ出し前記開口部を覆うと共に前記折れ筋より外方にはみ出し且つ開封テープ付のインナーパッチを、前記展開面に貼り合わせると共に、前記上紙及び下紙を前記折れ筋に沿い前記開口部側に折り畳み、その上にアウターパッチを貼り付けてなり、前記インナーパッチは、その一方の端部を内側に折り込みその状態で前記開封テープの両側に切り込みを入れて前記展開面に貼り合わせてあり、前記アウターパッチは、その一方の端部に前記インナーパッチの切り込みに沿ったスリットを設けると共に、前記開封テープに沿って前記インナーパッチに線状に貼り付けてなることを特徴とする開封容易な袋。
【請求項２】
前記インナーパッチに設けた前記開封テープ幅は、少なくとも４ｍｍ以下である請求項１記載の開封容易な袋。
【請求項３】
前記アウターパッチは、その他方の端部が前記インナーパッチの他方の端部よりも外方に延出している請求項１または２記載の開封容易な袋。
【請求項４】
前記アウターパッチのスリットは、前記インナーパッチの切り込みに沿った１本で形成している請求項１ないし３のいずれか１項記載の開封容易な袋。
【発明の詳細な説明】
【技術分野】
【０００１】
本発明は、米、麦、コンスターチ、デンプンなどの食品に由来する粉粒体、飼料、プラスチック樹脂、セメント、石灰、カーボンブラックなどの粉粒体を収納するための開封容易な袋に関し、より詳しくは、平坦に折り潰した紙状筒の一方の開口端に両側及びその中心部に三角折込み部及び開口部を有した展開面を形成し、展開面の開口部を開封テープ付でその両側に切り込みのあるインナーパッチを展開面に貼り合わせることで塞ぎ、さらにその上にアウターパッチを貼り付け、開封に際しては、開封テープによりインナーパッチ及びアウターパッチを一気に切り裂き、開封可能とした開封容易な袋に関する。
【背景技術】
【０００２】
従来の開封容易な袋として、図１４に示すように、閉塞時に、上下の水平折込線折込部５０、５１の重接しない下側の水平折込線折込部５１の上に位置するように開封テープ５２付のアウターパッチ５３を底部に貼り付けてなり、上下の水平折込線折込部５０、５１裏面に剥離容易なノリを塗布し、さらに、アウターパッチ５３の裏面に長手方向両外側に固着接合用の帯状ノリ５４を、その内側に剥離容易な帯状ノリ５５を塗布することで、上記底部にアウターパッチ５３を貼り付けてなるものが知られている（例えば、特許文献１参照）。
【０００３】
また、図１５に示すように、平坦に折り潰した紙状筒６０の一方の開口端６１の両角に三角折込み部６２（６３）を形成すると共に、その状態で紙状筒６０の折り潰しにより形成した上紙６４及び下紙６５の一方を開いて展開面６６を形成し、この展開面６６の中心部開口６７を覆うために上紙６４及び下紙６５に折れ筋６８を付けて、展開面６６の両三角折込み部６２、６３を渡り中心部開口６７を覆うと共に折れ筋６８を外方にはみ出し且つ引き剥がし片６９付のインナーパッチ７０を、展開面６６に易剥離性接着剤７１にて貼り合わせて開封側開口部７２とし、上記折れ筋６８に沿い上紙６４及び下紙６５を折り畳み貼り合わせ、その上に開封テープ付のアウターパッチを貼り付けてなるものが知られている（例えば、特許文献２参照）。
【０００４】
さらに、図１６に示すように、平坦に折り潰した紙状筒６０の一方の開口端６１の両角に三角折込み部６２、６３を形成すると共に、その状態で紙状筒６０の折り潰しにより形成した上紙６４及び下紙６５の一方を第１折線７３に沿い開いて展開面６６を形成し、上紙６４及び下紙６５を第１折線７３に平行な第２折線７４に沿って内側に折り曲げ重ね貼り合わせて底部を形成し、その底部過程で、折り曲げ部同士を剥離容易に貼り合わせ、且つ展開面６６の中央に、長辺が三角折込み部６２、６３を渡り短辺が第２折線８１を越えるインナーパッチ７０を、一方の第２折線７４の外側に沿い線状に貼り合わせ、その上に開封テープ付のアウターパッチを貼り付けてなるたものが知られている（例えば、特許文献３参照）。
【先行技術文献】
【特許文献】
【０００５】
【特許文献１】実公平１−２６５９８号公報
【特許文献２】特開２００４−３０７００８号公報
【特許文献３】特開平９−１４２４９０号公報
【発明の概要】
【発明が解決しようとする課題】
【０００６】
特許文献１の開封容易な袋は、アウターパッチ５３を開封テープ５２によって切断すると、アウターパッチ５３と下の水平折込線折込部５１及び斜め折込線折込部とは、剥離容易なノリにより糊付けされているので、一体となって切断されたアウターパッチ５３と上の水平折込線折込部５０は、下の水平折込線折込部５１及び斜め折込線折込部から容易に剥離できる。さらに、下の水平折込線折込部５１も斜め折込線折込部に剥離容易なノリにより糊付けされているので、斜め折込線折込部から容易に剥離でき、完全に開封することができる。しかしながら、この開封容易な袋を完全に開封するには、まず開封テープ５２によりアウターパッチ５３を切断して、アウターパッチ５３と上の水平折込線折込部５０を剥離し、さらに下の水平折込線折込部５１も剥離しないと、完全に開封することができないという、二段構えとなる不都合が生ずる虞がある。
【０００７】
特許文献２の開封容易な袋は、アウターパッチを開封テープにより切断し、上紙６４及び下紙６５を剥がしてインナーパッチ７０を裸出し、さらに、インナーパッチ７０を引き剥がし片６９により剥がすことができる。しかしながら、この開封容易な袋を開封するには、上記したように、三段構えとなってしまう不都合が生ずる虞がある。
【０００８】
特許文献３の開封容易な袋は、アウターパッチを開封テープにより切断し、上紙６４及び下紙６５を裸出して、上紙６４及び下紙６５を剥がしてインナーパッチ７０を裸出し、その状態で開封容易な袋をインナーパッチ７０側を下方に向けると、内容物の重みにより、インナーパッチ７０が強固に接着している一辺を除き他の辺が開くことで、インナーパッチ７０を開封することができる。しかしながら、この開封容易な袋を開封するには、上記したように、二段構えとなってしまい、その上、最終的に開封するか、どうかが、内容物の重みに依存しているという、不都合が生ずる虞がある。
【０００９】
このような観点から、図１７ないし１９に示すように、平坦に折り潰した紙状筒６０の一方の開口端６１の両角に三角折込み部６２、６３を形成すると共に、その状態で紙状筒６０の折り潰しにより形成した上紙６４及び下紙６５の一方を開いて展開面６６を形成し、この展開面６６の中心部開口６７を覆うことの無い折れ筋６８を、上紙６４及び下紙６５上に付けて、展開面６６の両三角折込み部６２、６３を渡り中心部開口６７を覆うと共に折れ筋６８を外方にはみ出し、且つ、引き剥がし片６９及びこれに連なる開封テープ５２付のインナーパッチ７０を、展開面６６に貼り合わせ、上紙６４及び下紙６５を折れ筋６８に沿い折り畳み、その上に１本のスリット７３を有するアウターパッチ５３を貼り付けて底部を防護している、開封容易な袋が考えられる。なお、アウターパッチ５３は、インナーパッチ７０と共に一気に切り裂くことが出来るように、その１本のスリット７３から開封テープ５２に沿ってインナーパッチ７０に線状に貼り付けられている。
【００１０】
したがって、上記の開封容易な袋は、その底部を一気に切り裂いて開封することができるが、図１８の矢線で示すように、開封テープ５２を伝わって内容物が外部に漏れる虞がある。
【００１１】
そこで、本発明の目的は、粉粒体の漏れの完全な阻止や必要な強度に対し充分に満足した上で、ワンタッチ開封を容易且つ完全に行うことが出来る開封容易な袋を提供することにある。
【課題を解決するための手段】
【００１２】
本発明は、上記目的を達成するために提案されたものであって、下記の構成からなることを特徴とするものである。
すなわち、本発明によれば、平坦に折り潰した紙状筒の一方の開口端にこれと平行な折り目を付け、該折り目まで前記開口端の両角を折り込み、その状態で前記紙状筒の折り潰しにより形成した上紙及び下紙の一方を折り目に沿い開いて、両側及びその中心部に三角折込み部及び開口部を有する展開面を形成し、該展開面の前記上紙及び下紙に、これらを前記開口部側に折り畳んでも開口部を塞がない折れ筋を付けて、前記展開面の両三角折込み部の底辺より外方にはみ出し前記開口部を覆うと共に前記折れ筋より外方にはみ出し且つ開封テープ付のインナーパッチを、前記展開面に貼り合わせると共に、前記上紙及び下紙を前記折れ筋に沿い前記開口部側に折り畳み、その上にアウターパッチを貼り付けてなり、前記インナーパッチは、その一方の端部を内側に折り込みその状態で前記開封テープの両側に切り込みを入れて前記展開面に貼り合わせてあり、前記アウターパッチは、その一方の端部に前記インナーパッチの切り込みに沿ったスリットを設けると共に、前記開封テープに沿って前記インナーパッチに線状に貼り付けてなることを特徴とする開封容易な袋が提供される。
【００１３】
また、本発明によれば、前記インナーパッチに設けた前記開封テープ幅は、少なくとも４ｍｍ以下である開封容易な袋が提供される。
【００１４】
また、本発明によれば、前記アウターパッチは、その他方の端部が前記インナーパッチの他方の端部よりも外方に延出している開封容易な袋が提供される。
【００１５】
また、本発明によれば、前記アウターパッチのスリットは、前記インナーパッチの切り込みに沿った１本で形成している開封容易な袋が提供される。
【００１６】
上記請求項１に規定した要件を満たすことによる作用は次の通りである。
すなわち、アウターパッチは、インナーパッチの切り込みに沿ったスリットが有り、且つインナーパッチの開封テープに沿って線状に貼り付けてあるから、インナーパッチの開封テープにてインナーパッチ共々アウターパッチも切断でき、上紙及び下紙を折り重ねて貼り合わせてもいないから、直ちに開封出来る。インナーパッチの開封テープ側端部は内側に折り込み展開面に貼り合わせてあるから、開封テープを伝わり内容物が漏れないし、且つ、インナーパッチとアウターパッチとによる二重構造により強度を増している。
【００１７】
また、請求項２に規定した要件を満たすことによる作用は、開封テープの幅が４ｍｍ以下であると、開封テープを伝わり外部に漏れる内容物を防止しやすい。
【００１８】
また、請求項３に規定した要件を満たすことによる作用は、アウターパッチの他方の端部がインナーパッチの他方の端部よりも外方に延出していると、外部に漏れる内容物を防止しやすい。
【００１９】
また、請求項４に規定した要件を満たすこによる作用は、アウターパッチのスリットが１本でも、開封テープにより、インナーパッチと共にアウターパッチを切断できる。
【発明の効果】
【００２０】
本発明の請求項１に規定した開封容易な袋によれば、粉粒体の漏れの完全な阻止や必要な強度に対し充分に満足した上で、開封テープを引くだけのワンタッチ開封を容易且つ完全に行うことが出来る効果がある。
【００２１】
また、本発明の請求項２に規定した開封容易な袋によれば、上記の効果に加えて、さらに開封テープを伝わり外部に漏れる内容物を防止できる効果がある。
【００２２】
また、本発明の請求項３に規定した開封容易な袋によれば、上記の効果に加えて、さらに他方の端部から外部に漏れる内容物を防止できる効果がある。
【００２３】
また、本発明の請求項４に規定した開封容易な袋によれば、上記の効果に加えて、アウターパッチの加工が容易となる効果がある。
【図面の簡単な説明】
【００２４】
【図１】実施例１に示した開封容易な袋を展開した状態の斜視図である。
【図２】同開封容易な袋の製作状態を示す平面図である。
【図３】同開封容易な袋の製作状態を示す平面図である。
【図４】同開封容易な袋の製作状態を示す斜視図である。
【図５】同開封容易な袋のインナーパッチの斜視図である。
【図６】図５のＡ−Ａ線に沿う断面図である。
【図７】同開封容易な袋の製作状態を示す平面図である。
【図８】開封容易な袋の製作状態を示す平面図である。
【図９】開封容易な袋の製作状態を示す平面図である。
【図１０】開封容易な袋内に内容物を充填した状態のインナーパッチとアウターパッチとの関係を示す斜視図である。
【図１１】本発明の他の実施形態を示す開封容易な袋の図１０と同状の斜視図である。
【図１２】実施例１に示した開封容易な袋の利用状態を示す斜視図である。
【図１３】同開封容易な袋の利用状態を示す斜視図である。
【図１４】従来例を示す斜視図である。
【図１５】従来例を示す斜視図である。
【図１６】従来例を示す平面図である。
【図１７】開封容易な袋の想定例を示す斜視図である。
【図１８】開封容易な袋の想定例におけるインナーパッチを示す斜視図である。
【図１９】図１８のＢ−Ｂ線に沿う断面図である。
【発明を実施するための形態】
【００２５】
以下に、図面を参照して本発明を実施するための最良の形態を説明する。
【実施例１】
【００２６】
図面において、１は開封容易な袋であり、この開封容易な袋１は、平坦に折り潰した紙状筒２の一方の開口端３Ａにこれと平行な折り目４を付け、この折り目４まで開口端３Ａの両角Ｃ１、Ｃ１を折り込み、その状態で紙状筒２の折り潰しにより形成した上紙２ａ及び下紙２ｂの一方を折り目４に沿い開いて、両側及びその中心部に三角折込み部５、６及び開口部７を有する展開面８を形成し、この展開面８の上紙２ａ及び下紙２ｂに、これらを開口部７側に折り畳んでも開口部７を塞がない折れ筋９ａ、９ｂを付けて、展開面８の両三角折込み部５、６の底辺５ａ、６ａより外方にはみ出し開口部７を覆うと共に折れ筋９ａ、９ｂより外方にはみ出し且つ開封テープ１０付のインナーパッチ１１を、展開面８に貼り合わせると共に、上紙２ａ及び下紙２ｂを折れ筋９ａ、９ｂに沿い開口部７側に折り畳み、その上にアウターパッチ１２を貼り付けてなり、上記インナーパッチ１１は、その一方の端部を内側に折り込みその状態で開封テープ１０の両側に切り込み１３を入れて展開面８に貼り合わせてあり、上記アウターパッチ１２は、その一方の端部にインナーパッチ１１の切り込み１３に沿ったスリット１４を設けると共に、開封テープ１０に沿ってインナーパッチ１１に線状に貼り付けてなるものである。
【００２７】
この紙状筒２は、径及び長さとも使用目的に合わせた任意のものが選択され、この実施例では２枚重ねにしたものが使用されているが、これに限定されず３層以上の多層でも良い。紙状筒２の材質はクラフト紙に限らず、脱気性を付与し且つ所定の強度を有したものであれば、特に限定がなく、樹脂シート、紙に樹脂シートを貼り付けたもの等が使用される。なお、インナーパッチ１１及びアウターパッチ１２などの材質も、上記紙状筒２と同じものが選択される。
【００２８】
前記インナーパッチ１１は、その長手方向の長さが展開面８の両三角折込み部５、６の底辺５ａ、６ａよりも外方にはみ出して、開口部７を完全に覆うことができ、その幅長さも折れ筋９ａ、９ｂを外方にはみ出している。このインナーパッチ１１には開封テープ１０が一方の端部から他方の端部にかけて貼られ、さらに、一方の端部が、図４、５、６に示すように、開封テープ１０側に折り込まれて折込み片２０が形成されて、その状態で折込み片２０ともども開封テープ１０の両側に切り込み１３、１３が入り、これらの間に開封片２１が形成されている。したがって、展開面８にインナーパッチ１１を貼り合わせる際、開封テープ１０が存在しない方の折込み片２０の面２０ａを展開面８の三角折込み部５に貼り付けることになるので、開封テープ１０を伝わって内容物が漏れることがないし、開封片２１によりインナーパッチ１１を容易に切り裂けることにもなる。
【００２９】
一方、前記アウターパッチ１２は、展開面８を構成する上紙２ａ及び下紙２ｂが折れ筋９ａ、９ｂに沿って折り畳まれ、上紙２ａと下紙２ｂとが重ならない状態となり、その上に貼り付けられ、開封容易な袋１の底部を全体的且つ最終的に保護しているものである。すなわち、アウターパッチ１２は、その一方の端部がインナーパッチ１１の一方の端部上を覆い、その他方の端部がインナーパッチ１１の他方の端部よりも外方に延出した状態で覆っている。これにより、内容物がインナーパッチ１１の他方の端部から開封テープ１０を伝わって、外部に漏れるのを防ぐことができる。
【００３０】
そして、アウターパッチ１２は、その一方の端部にインナーパッチ１１の切り込み１３に沿ったスリット１４、１４が設けられ、スリット１４、１４間に切裂片２２が形成されて、その上、開封テープ１０に沿ってインナーパッチ１１に線状に貼り付けられている。これにより、アウターパッチ１２の切裂機構は、インナーパッチ１１における切裂機構と一体となって、切裂片２２ともども開封片２１により、インナーパッチ１１及びアウターパッチ１２を一気に容易且つ完全に切り裂くことができ、開封容易な袋１の底部を一気に開封することになる。なお、スリット１４は後に詳述するように１つでもよい。
【００３１】
上記構成になる開封容易な袋１は、以下のようにして作られる。
まず、２層以上の紙状筒２について、その径及び長さとも使用目的に合わせた任意のものを選択する。そして、図２に示すように、選択した紙状筒２を折り潰し、その折り潰した紙状筒２の一方の開口端３Ａ側に、この開口端３Ａと平行な折り目４を所定幅で付け、この紙状筒２の開口端３Ａの両角Ｃ１、Ｃ１を二点鎖線で示すように、折り目４まで折り込む。同じく、この紙状筒２の他方の開口端側にも、この開口端と平行な折り目を所定幅で付け、他方の開口端の両角も、折り目まで折り込む。
【００３２】
次に、紙状筒２の両角Ｃ１、Ｃ１を図２の二点鎖線で示す折り目４まで折り込んだ状態で、紙状筒２の折り潰しにより形成した上紙２ａ及び下紙２ｂのうち、上紙２ａを折り目４に沿って開き、図３に示すように、両側及びその中心部に三角折込み部５、６及び開口部７を有する展開面８を形成する。さらに、展開面８の上紙２ａ及び下紙２ｂを開口部７側に折り畳んでも、開口部７を塞ぐことがない折れ筋９ａ、９ｂを上紙２ａ及び下紙２ｂに付ける。すなわち、開口部７を塞ぐことがない折れ筋９ａ、９ｂを上紙２ａ及び下紙２ｂに付けるには、上紙２ａ及び下紙２ｂを折り畳んだ際、それぞれの開口端３Ａが重ならないようにすればよい。
【００３３】
例えば、図１に示すように、開封容易な袋１の底部幅：Ｗ０とすると、上紙２ａ及び下紙２ｂが担当する底部幅：Ｗ１は半分となり、Ｗ０＝Ｗ１×２となる。また、上紙２ａの開口端３Ａと下紙２ｂの開口端３Ａとの長さ：Ｗ２とすると、上紙２ａ及び下紙２ｂが担当する長さ：Ｗ３は半分となり、Ｗ２＝Ｗ３×２となる。よって、上紙２ａ及び下紙２ｂ開口端３Ａから折れ筋９ａ、９ｂまでの長さ：Ｗ４とすると、Ｗ４＝Ｗ１−Ｗ３＝１／２（Ｗ０−Ｗ２）となり、折れ筋９ａは、開口端３ＡからＷ４離れた上紙２ａ上に開口端３Ａと平行に付けることになって、折れ筋９ｂも、開口端３ＡからＷ４離れた下紙２ｂ上に開口端３Ａと平行に付けることになる。
【００３４】
そして、インナーパッチ１１を上紙２ａ及び下紙２ｂ上の図３の二点鎖線で示す位置に貼り付け、開口部７を完全に塞ぐ。
【００３５】
その後、図７に示すように、上紙２ａを折れ筋９ａに沿い開口部７側に折り畳み、インナーパッチ１１及び三角折込み部５上に貼り付け、さらに、下紙２ｂも同じく折れ筋９ｂに沿い開口部７側に折り畳み、インナーパッチ１１及び三角折込み部６上に貼り付ける（図８参照）。さらに、その上に、アウターパッチ１２を貼り付けるが（図９参照）、その際重要なことは、アウターパッチ１２の切裂片２２をインナーパッチ１１の開封片２１に沿わせ、且つ、開封テープ１０に沿ってインナーパッチ１１にアウターパッチ１２を少なくとも線状に貼り付けることである。このようにすることで、図１０に示すように、開封容易な袋１内に内容物が充填された状態で、アウターパッチ１２の切裂機構は、インナーパッチ１１における切裂機構と一体となって、開封片２１及び切裂片２２により、インナーパッチ１１及びアウターパッチ１２を一気に切り裂き、開封出来るようになる。
【００３６】
なお、紙状筒２の他方の開口端でも、紙状筒２の折り潰しにより生じた上紙及び下紙のうち、上紙を折り目に沿い開いて、両側及びその中心部に三角折込み部及び開口部を有する展開面を形成し、さらに、上紙及び下紙に折り目に平行な２本の折れ筋を付け、上紙を折れ筋に沿って折り畳んで開口部を塞いで貼り合わせ、その上に下紙も折れ筋に沿って折り畳んで貼り合わせ、開口部を塞ぐ。なお、インナーパッチや内容物投入口並びに化粧紙が必要で有れば装備する。
【００３７】
上記構成になる開封容易な袋１は次のように使用される。
まず、開封容易な袋１内に紙状筒２の他方の開口端から、例えば、内容物投入口が有ればそれに粉粒体などの供給源を接続して、エアーと共に粉粒体を開封容易な袋１内に送り粉粒体を充填する。充填が終了したら内容物投入口を封止しその他の必要作業を終了すれば、粉粒体充填済みの開封容易な袋１となり、流通に乗せることができる。
【００３８】
そして、開封容易な袋１内に充填されている粉粒体を使用したい場合には、図１２及び１３に示すように、開封片２１及び切裂片２２を手指でつかんで引き裂けば、インナーパッチ１１及びアウターパッチ１２を一気に切り裂くことが出来、開封容易な袋１を開封出来て、粉粒体を取り出し使用することが出来る。
【００３９】
図１１は、アウターパッチ１２の一方の端部にスリット１４、１４が無く、したがって切裂片２２が形成されておらず、その代わりに１本のスリット１４Ａが設けられている開封容易な袋１を示したものである。そして、このスリット１４Ａから、開封テープ１０に沿ってインナーパッチ１１にアウターパッチ１２が線状に貼り付けられている。その他の構成、作用は図１ないし図１０に示す開封容易な袋１と同様である。
【００４０】
以上、本発明の実施例１を説明したが、具体的な構成はこれに限定されず、本発明の要旨を逸脱しない範囲での変更は適宜可能であることは理解されるべきである。
【産業上の利用可能性】
【００４１】
本発明の開封容易な袋は、内容物である粉粒体の充分な漏れ防止や必要な強度も備えていて、その上で開封テープを引くだけのワンタッチで開封を行いたい場合に、利用可能性が極めて高くなる。
【符号の説明】
【００４２】
１                        開封容易な袋
２、６０                  紙状筒
２ａ、６４、６５          上紙
２ｂ                      下紙
３Ａ                      一方の開口端
４                        折り目
５、６、６２、６３        三角折込み部
５ａ、６ａ                底辺
７                        開口部
８、６６                  展開面
９ａ、９ｂ、６８          折れ筋
１０、５２                開封テープ
１１、７０                インナーパッチ
１２、５３                アウターパッチ
１３                      切り込み
１４、１４Ａ              スリット
２０                      折込み片
２１                      開封片
２２                      切裂片
５０、５１                水平折込線折込部
５４                      固着接合用の帯状ノリ
５５                      剥離容易な帯状ノリ
６１                      開口端
６７                      中心部開口
６９                      引き剥がし片
７１                      易剥離性接着剤
７２                      開封側開口部
７３                      第１折線
７４                      第２折線
Ｃ１                      角
【図１】
0005757849.tif 000002
【図２】
0005757849.tif 000003
【図３】
0005757849.tif 000004
【図４】
0005757849.tif 000005
【図５】
0005757849.tif 000006
【図６】
0005757849.tif 000007
【図７】
0005757849.tif 000008
【図８】
0005757849.tif 000009
【図９】
0005757849.tif 000010
【図１０】
0005757849.tif 000011
【図１１】
0005757849.tif 000012
【図１２】
0005757849.tif 000013
【図１３】
0005757849.tif 000014
【図１４】
0005757849.tif 000015
【図１５】
0005757849.tif 000016
【図１６】
0005757849.tif 000017
【図１７】
0005757849.tif 000018
【図１８】
0005757849.tif 000019
【図１９】
0005757849.tif 000020